(57)【要約】【課題】太陽電池セルの冷却を図りつつ、より集熱効率に優れた太陽光発電集熱ユニットを提供する。【解決手段】太陽光を受ける表面側から順に、複数の太陽電池セルが配設された太陽電池パネルと、高熱伝導性材料が充填された伝熱部と、集熱パネルと、断熱部とを有する太陽光発電集熱ユニットにおいて、膨出部を有する第１の集熱板と、平坦面を有する第２の集熱板とが積層一体化され、太陽電池パネル側に凹凸面及び断熱部側に平坦面を有し、第１の集熱板の膨出部と第２の集熱板との間に熱媒が流通する内部通路を有する集熱パネルを用いる。【選択図】図２
2011119394.tif 000002
【特許請求の範囲】
【請求項１】
太陽光を受ける表面側から順に、
複数の太陽電池セルが配設された太陽電池パネルと、
高熱伝導性材料が充填された伝熱部と、
集熱パネルと、
断熱部とを有する太陽光発電集熱ユニットであって、
前記集熱パネルは、膨出部を有する第１の集熱板と、平板状の第２の集熱板とが積層一体化されており、前記太陽電池パネル側に凹凸面及び前記断熱部側に平坦面を有するとともに、前記第１の集熱板の膨出部と前記第２の集熱板との間に熱媒を流通させる内部通路を有する太陽光発電集熱ユニット。
【請求項２】
前記断熱部は、真空断熱材からなる請求項１に記載の太陽光発電集熱ユニット。
【発明の詳細な説明】
【技術分野】
【０００１】
本発明は、太陽光から電力及び熱エネルギーを取り出す太陽光発電集熱ユニットに関する。
【背景技術】
【０００２】
従来、太陽電池パネルと熱媒を流通させる内部通路を有する集熱パネルとを積層することにより、太陽光から電力及び熱エネルギーを取り出す太陽光発電集熱ユニットが提案されている。
【０００３】
この種の太陽光発電集熱ユニットは、太陽光を受ける表面側から順に、表面保護パネル、接着部、複数の太陽電池セルが配設された太陽電池パネル、伝熱部、集熱パネル、及び断熱部などが積層された構造を有している（例えば、特許文献１）。
【０００４】
ところで、太陽電池セルは、それ自体で光電変換動作時に熱を発生し、また太陽光による熱によって温度上昇するが、温度上昇に伴って発電効率が低下する温度特性を有している。そのため、発電効率の低下を抑えるために、太陽電池セルの温度上昇を抑えることが求められる。従って、上記太陽光発電集熱ユニットのように、太陽電池パネルと集熱パネルとを一体化することにより、太陽電池セルから発生する熱を下方に配置された集熱パネルの内部通路を流通する媒体で熱交換すれば、太陽電池セルの冷却も同時に行なうことができ、発電効率の低下を抑えつつ、熱エネルギーを効率的に取り出すことができる。
【先行技術文献】
【特許文献】
【０００５】
【特許文献１】特開平９−９６４５１号公報
【発明の概要】
【発明が解決しようとする課題】
【０００６】
しかしながら、上記従来の太陽光発電集熱ユニットにおいては、太陽電池パネルと集熱パネルとを積層するために太陽電池パネル側の集熱パネルの上面は平坦面となっていることから、受熱効果が低く、太陽電池セルの冷却が不十分となりやすいという問題がある。また、内部通路を形成するために断熱部側の集熱パネルの下面には凹凸面が形成されているため、断熱部側で集熱板の面積が増大し、その結果、断熱効果も低くなってしまい、集熱パネルでの集熱効率が低下するという問題がある。
【０００７】
本発明は上記課題を解決するためになされたものであり、太陽電池セルの冷却を図りつつ、より集熱効率に優れた太陽光発電集熱ユニットを提供することを目的とする。
【課題を解決するための手段】
【０００８】
本発明は、太陽光を受ける表面側から順に、
複数の太陽電池セルが配設された太陽電池パネルと、
高熱伝導性材料が充填された伝熱部と、
集熱パネルと、
断熱部とを有する太陽光発電集熱ユニットであって、
前記集熱パネルが、膨出部を有する第１の集熱板と、平板状の第２の集熱板とが積層一体化されて構成されており、前記太陽電池パネル側に凹凸面及び前記断熱部側に平坦面を有するとともに、前記第１の集熱板の膨出部と前記第２の集熱板との間に熱媒を流通させる内部通路を有する太陽光発電集熱ユニットである。
【０００９】
上記太陽光発電集熱ユニットによれば、集熱パネルが太陽電池パネル側に凹凸面を有しているから、集熱パネルの上面の受熱面積を大きくすることができる。また、集熱パネルが断熱部側に平坦面を有しているから、集熱パネルの下面の放熱面積を小さくすることができる。そして、上記集熱パネルを構成する第１の集熱板の膨出部と平板状の第２の集熱板との間に熱媒を流通させる内部通路を形成することができるから、高熱伝導性材料が充填された伝熱部を介して集熱パネルに伝熱されてきた熱を、内部通路を流通する熱媒により効率的に熱交換を行なうことができ、太陽電池セルの冷却を図りつつ、高い集熱効率で熱エネルギーを取り出すことができる。
【００１０】
上記断熱部は、真空断熱材からなることが好ましい。上記太陽光発電集熱ユニットによれば、集熱パネルから断熱部への放熱がより少なくなり、集熱効率を一層向上させることができる。
【発明の効果】
【００１１】
以上のように、本発明によれば、太陽電池セルの冷却を図りつつ、より集熱効率に優れた太陽光発電集熱ユニットを提供することができる。
【図面の簡単な説明】
【００１２】
【図１】図１は、本発明の実施の形態に係る太陽光発電集熱ユニットの外観を示す概略斜視図である。
【図２】図２は、図１のＡ−Ａ線における要部拡大断面概略図である。
【図３】図３は、本発明の実施の形態に係る太陽光発電集熱ユニットの断熱部に用いられる断熱材の他の一例を示す断面概略図である。
【発明を実施するための形態】
【００１３】
以下、図面を参照しながら本発明の実施の形態に係る太陽光発電集熱ユニットについて説明する。
【００１４】
図１は、本発明の実施の形態に係る太陽光発電集熱ユニットの外観を示す概略斜視図であり、図２は、図１のＡ−Ａ線における要部拡大断面概略図である。
【００１５】
図１に示すように、本実施の形態の太陽光発電集熱ユニット１は、住宅等の屋根の上に設置されて、ソーラーハウスを構成するものである。なお、図示しないが、太陽電池パネル４から引き出された電気配線は、屋内に設置されたインバータへ導かれ、太陽電池セル４１で発電された電力がインバータに集められて、インバータにより直流から交流に変換され、屋内配線に供給される。また、集熱パネル内の内部通路は、配管を介して貯湯タンクと接続されており、貯湯タンクで加熱された水が屋内給湯設備に供給される。
【００１６】
図２に示すように、この太陽光発電集熱ユニット１においては、太陽光を受ける表面側から順に、表面保護パネル２と、接着樹脂からなる接着部３と、複数の太陽電池セル４１が配設され、太陽電池セル４１が電気的に接続された太陽電池パネル４と、太陽光や太陽電池セル４１からの熱を伝熱する伝熱部５と、集熱パネル６と、断熱部７とが積層されており、これらの構成部材が枠体８によって積層一体化されている。
【００１７】
表面保護パネル２としては、従来公知の透明ガラス基板や、高湿透明樹脂板などを用いることができる。また、太陽電池パネル４としては、例えば、シリコン系半導体、化合物系半導体等の結晶系（単結晶系や多結晶系）半導体やアモルファス系半導体などからなる太陽電池セル４１が電気配線で直／並列に接続されたもの用いることができる。
【００１８】
接着部３は、太陽電池パネル４の上面を封止して、太陽光発電集熱ユニット１の耐候性を高めるとともに、表面保護パネル２の下面と太陽電池パネル４の上面とを接着させる機能を有している。接着部３に用いられる接着樹脂としては、従来公知のＥＶＡ、ＰＶＢ、ＰＥＴ、ブタジエン系樹脂、フッ化ビニル樹脂などを用いることができる。
【００１９】
伝熱部５は、太陽電池パネル４の下面を封止し、集熱パネル６の上面と太陽電池パネル４の下面とを接着させるとともに、太陽光からの熱及び太陽電池セル４１から発生する熱を集熱パネル６に伝熱する機能を有している。
【００２０】
伝熱部５に用いられる高熱伝導性材料としては、シリコーングリースやシリコーンゴムなどを用いることができる。これらの中でも、熱伝導性、絶縁性、及び弾力性に優れるシリコーンゴムが好ましい。太陽電池パネル４と集熱パネル６とでは熱膨張率が相違するため、温度上昇に伴い、太陽電池パネル４と集熱パネル６との間に変形が生じやすいが、上記シリコーンゴムを有する伝熱部５であれば、そのような温度上昇に伴う変形を吸収することができる。なお、伝熱部５は、伝熱性を高めるために、金属酸化物などのフィラーを含有してもよい。市場で入手可能なシリコーンゴムとしては、例えば、信越シリコーン社製のＴＣシリーズのシリコーンゴムが挙げられる。
【００２１】
断熱部７は、グラスウールや発泡スチロール・発泡ウレタンなどの発泡体からなる断熱材を板状にしたものを用いることができる。また、図３に示すように、断熱部７には、断熱材７１を芯材とし、金属製フィルム７２で断熱材７１を真空密封した真空断熱材を用いてもよい。このような真空断熱材を用いれば、集熱パネル６から断熱部７への放熱がより少なくなり、集熱効率を一層向上させることができる。また、真空断熱材は、薄くても断熱性に優れるため、太陽光発電集熱ユニット全体を薄層化及び軽量化することもできる。市場で入手可能な真空断熱材としては、例えば、クラボウ社製のクランバックが挙げられる。
【００２２】
集熱パネル６は、図２に示すように、太陽電池パネル４側に膨出する膨出部６１ａを有するアルミニウム製の第１の集熱板６１と、平板状のアルミニウム製の第２の集熱板６２とが積層一体化されて構成されている。これにより、集熱パネル６は、太陽電池パネル４側に凹凸面を、断熱部７側に平坦面を有するとともに、第１の集熱板６１の膨出部６１ａと平板状の第２の集熱板６２の上面との間に、熱媒が流通する内部通路６３を有している。このような構造を有する集熱パネル６を用いれば、集熱パネル６の上面は凹凸面となっているため、太陽電池パネル４側の受熱面積を大きくすることができる。また、集熱パネル６の下面は平坦面となっているため、断熱部７側の放熱面積を小さくすることができ、集熱パネル６から断熱部７への放熱を抑えることができる。その結果、伝熱部５を介して伝熱されてきた熱を効率よく集熱パネル６で集熱することができる。そして、集熱パネル６は、膨出部６１ａを有する第１の集熱板６１と平板状の第２の集熱板６２とが積層一体化され、第１の集熱板６１の膨出部６１ａと第２の集熱板６２の上面との間に、熱媒が流通する内部通路６３が形成されているから、集熱パネル６に伝熱されてきた熱を内部を流通する熱媒（例えば、水、グリコールなどの不凍液）によって効率的に熱交換することができる。その結果、太陽電池セル４１を効率的に冷却しながら、高い集熱効率を得ることができる。なお、第１の集熱板６１の膨出部６１ａは熱媒を流通させる内部通路６３を形成できる形状であれば、断面半円状以外に、断面多角形状など任意の形状を有していてもよい。
【００２３】
上記本実施の形態の集熱パネル６の製造方法としては、従来公知の方法を使用することができる。例えば、２枚一対のアルミニウム製の集熱板の一方に、所定の流路パターンが形成されるよう圧着防止剤をプリントし、この所定パターンをプリントした集熱板上に他方の集熱板を重ね合わせて、圧延ローラなどにより両集熱板を圧延、圧着し、断面半円状の反転凹凸パターンが形成された金型と、平坦面を有する金型との間に積層した集熱板を配置し、内部通路６３となる一方の端部を封止した状態で、他方の端部から圧着防止剤が塗布された部分に圧搾空気を供給して、一方の集熱板に膨出部を形成することにより、上面に凹凸面を、下面に平坦面を有するとともに、内部に断面半円状の内部通路６３を有する集熱パネル６を作製することができる。
【００２４】
本実施の形態の太陽光発電集熱ユニット１を作製する場合、例えば、まず断熱部７と、上記のようにして得られる集熱パネル６とを積層し、集熱パネル６上に高熱伝導性材料を含む伝熱部５を形成する。次いで、伝熱部５上に太陽電池セル４１を所定の間隔で配列した太陽電池パネル４を配置し、さらにその上に接着部３となる樹脂シート、及び表面保護パネル２を積層する。そして、これらの構成部材が積層された積層体を、周縁に配置したパッキングを介して枠体８で封止することにより、太陽光発電集熱ユニット１を作製することができる。
【符号の説明】
【００２５】
１    太陽光発電集熱ユニット
４    太陽電池パネル
４１  太陽電池セル
５    伝熱部
６    集熱パネル
６１  第１の集熱板
６１ａ  膨出部
６２  第２の集熱板
６３  内部通路
７    断熱部
【図１】
2011119394.tif 000003
【図２】
2011119394.tif 000004
【図３】
2011119394.tif 000005